(57)【要約】【課題】  移動通信端末を用いて発信者が、受信者に受信されるデータに含まれたキャラクタイメージを遠隔制御して表現できるようにする移動通信端末を用いたキャラクタイメージ遠隔制御装置および方法を提供すること【解決手段】  移動通信端末を用いて遠隔から受信者のキャラクタイメージを制御する方法は、キャラクタイメージの各関節部位に端末キーボタンの番号を対応させて各関節の動きを制御することを特徴とする。遠隔から受信者に受信されるキャラクタイメージを制御する方法は、受信者の電話番号と特殊番号とを入力して転送すれば、受信者側の端末はそれを受信するキャラクタイメージ番号受信段階と、キャラクタイメージ識別のための特殊番号の受信によってキャラクタイメージの動作を表現しようとするときは、発信者からのキャラクタ制御用データ値によって受信者の画面上でキャラクタイメージの動作が制御されるキャラクタ制御段階とを含む。【選択図】図３
2004312677.tif 000002
【特許請求の範囲】
【請求項１】
移動通信端末を用いて遠隔から受信者のキャラクタイメージを制御する方法において、
キャラクタイメージの各関節部位に端末キーボタンの番号を対応させて各関節の動きを遠隔から制御することを特徴とする移動通信端末を用いたキャラクタイメージ遠隔制御方法。
【請求項２】
前記キャラクタイメージの関節を遠隔からのキーボタンの制御のとき、発信者と受信者のそれぞれの端末に同じキャラクタイメージが共に表示されるようにしたことを特徴とする請求項１記載の移動通信端末を用いたキャラクタイメージ遠隔制御方法。
【請求項３】
前記端末のキーボタンは、所定のボタンにキャラクタイメージの関節が対応し、
残りのボタンは関節の上下動作ボタンと、一つの動作の身体関節の動作が終了することを知らせるボタンとでなることを特徴とする請求項１記載の移動通信端末を用いたキャラクタイメージ遠隔制御方法。
【請求項４】
移動通信端末を用いて遠隔から受信者に受信されるキャラクタイメージを制御する方法において、
端末が動作中に発信者が受信者に受信されるキャラクタイメージを遠隔から制御しようとするとき、受信者の電話番号と、キャラクタイメージの識別のための特殊番号とを入力して転送すれば、受信者側の端末はそれを受信するキャラクタイメージ番号受信段階と、
前記キャラクタイメージの識別のための特殊番号の受信によってキャラクタイメージの動作を表現しようとするときは、発信者からのキャラクタ制御用データ値によって受信者の画面においてキャラクタイメージの動作が制御されるキャラクタ制御段階とを含んでなることを特徴とする移動通信端末を用いたキャラクタイメージ遠隔制御方法。
【請求項５】
前記キャラクタを遠隔から制御するとき、発信者と受信者のそれぞれの端末に同じキャラクタイメージが共に表示されるようにしたことを特徴とする請求項４記載の移動通信端末を用いたキャラクタイメージ遠隔制御方法。
【請求項６】
前記キャラクタイメージの識別のための特殊番号は交換機からサービスされる特定サービス番号であるか、或いは
発信者と受信者との間で約束された特定キャラクタイメージ制御のための識別番号であることを特徴とする請求項４記載の移動通信端末を用いたキャラクタイメージ遠隔制御方法。
【請求項７】
前記交換機からサービスされる特定サービス番号は少なくとも一桁以上の桁数を有し、
発信者と受信者との間に約束された特定キャラクタイメージの制御のための識別番号は少なくとも一桁以上の桁数でなることを特徴とする請求項６記載の移動通信端末を用いたキャラクタイメージ遠隔制御方法。
【請求項８】
前記キャラクタ制御のためのデータ値はキャラクタイメージの関節に対応する番号と、上下動作番号および終了を知らせる番号とを一つのグループとし、
前記グループを連続的に多数結合してキャラクタイメージの動作が連続的に行われるようにすることを特徴とする請求項４記載の移動通信端末を用いたキャラクタイメージ遠隔制御方法。
【請求項９】
移動通信システムの端末を用いて遠隔から受信者のキャラクタイメージを制御する装置において、
前記移動通信システムの発信者が自分の端末の画面にディスプレイされたキャラクタイメージを見ながらキャラクタイメージの動作を制御する発信者側端末と、
前記発信者側端末で制御されたキャラクタイメージの動作が無線で遠隔受信され、前記発信者側端末にディスプレイされるものと同じキャラクタイメージの動作が同時にディスプレイされる受信者側端末と、
前記発信者側端末と受信者側端末との無線通信を連結する無線ネットワークとを含んでなることを特徴とする移動通信端末を用いたキャラクタイメージ遠隔制御装置。
【発明の詳細な説明】
【技術分野】
【０００１】
本発明は、キャラクタイメージを遠隔から制御する装置および方法に係り、特に、移動通信端末を用いて発信者が受信者に受信されるキャラクタイメージを遠隔から制御し、キャラクタの感情を表現できるようにする、移動通信端末を用いたキャラクタイメージ遠隔制御装置および方法に関する。
【背景技術】
【０００２】
移動通信端末は主に音声通話を目的として使用されているが、近来、音声通話以外にショートメッセージサービス（ＳＭＳ）を介する文字メッセージ伝達の機能が段々強化されている。
【０００３】
ショートメッセージサービス（ＳＭＳ）は発信者が受信者に伝達しようとする内容をテキスト化して伝達するものである。
【０００４】
かかるショートメッセージサービスは主にハングル（韓国の文字）の子音および母音、或いは英文などのテキストを利用してメッセージ内容を作成するが、最近は、テキストで表現できない特定のキャラクタイメージ、例えば、ハート模様や顔模様などをメッセージ内容に含ませて作成する傾向である。
【０００５】
しかしながら、それぞれのキャラクタイメージは動的なキャラクタイメージではなく、静的なキャラクタイメージとして表現されるので様々なイメージの表現は困難となるという問題点がある。
【発明の開示】
【発明が解決しようとする課題】
【０００６】
したがって、本発明は、かかる従来の問題点を解決するためのもので、その目的は、移動通信端末を用いて発信者が受信者に受信されるキャラクタイメージを遠隔から制御し、動的キャラクタイメージで表現できる移動通信端末を用いたキャラクタイメージ遠隔制御装置およびその方法を提供することにある。
【課題を解決するための手段】
【０００７】
上記目的を達成するために、移動通信端末を用いて遠隔から受信者のキャラクタイメージを制御する方法において、キャラクタイメージの各関節部位に端末キーボタンの番号を対応させて各関節の動きを遠隔から制御することを特徴とする。
【０００８】
前記キャラクタイメージの関節を遠隔からキーボタンを制御するとき、発信者と受信者のそれぞれの端末に同じキャラクタイメージが共に表示されるようにしたことを特徴とする。
【０００９】
前記端末のキーボタンは所定のボタンにキャラクタイメージの関節が対応し、
残りのボタンは関節の上下動作ボタンと、一つの動作の身体関節の動作終了を知らせるボタンと、でなることを特徴とする。
【００１０】
また、本発明は移動通信端末を用いて遠隔から受信者に受信されるキャラクタイメージを制御する方法において、端末が動作中に発信者が受信者に受信されるキャラクタイメージを遠隔から制御しようとするときに、受信者電話番号と、キャラクタイメージの識別のための特殊番号とを入力して転送すれば、受信者側端末はそれを受信するキャラクタイメージ番号受信段階と；前記キャラクタイメージの識別のための特殊番号の受信によってキャラクタイメージの動作を表現しようとするときは、発信者からのキャラクタ制御用データ値によって受信者の画面においてキャラクタイメージの動作が制御されるキャラクタ制御段階と；を含んでなることを特徴とする。
【００１１】
前記キャラクタを遠隔から制御するとき、発信者と受信者のそれぞれの端末に同じキャラクタイメージが共に表示されるようにしたことを特徴とする。
【００１２】
前記キャラクタイメージの識別のための特殊番号は交換機からサービスされる特定サービス番号であるか、または発信者と受信者との間に約束された特定キャラクタイメージの制御のための識別番号であることを特徴とする。
【００１３】
前記交換機からサービスされる特定サービス番号は少なくとも一桁以上の桁数を有し、発信者と受信者との間に約束された特定キャラクタイメージの制御のための識別番号は少なくとも一桁以上の桁数になったことを特徴とする。
【００１４】
前記キャラクタ制御のためのデータ値は、キャラクタイメージの関節に対応する番号と上下動作番号および終了を知らせる番号とを一つのグループにし、前記グループを連続的に多数結合してキャラクタイメージの動作が連続的に行われるようにすることを特徴とする。
【００１５】
また、本発明は、移動通信システムの端末を用いて遠隔から受信者のキャラクタイメージを制御する装置において、前記移動通信システムの発信者が、自分の端末の画面にディスプレイされたキャラクタイメージを見ながらキャラクタイメージの動作を制御する発信者側端末と、前記発信者側端末で制御されたキャラクタイメージの動作が無線で遠隔受信されて前記発信者側端末にディスプレイされるものと同じキャラクタイメージの動作が同時にディスプレイされる受信者側端末と、前記発信者側端末と受信者側端末との無線通信を連結する無線ネットワークとを含んでなることを特徴とする。
【００１６】
本発明による移動通信端末を用いたキャラクタイメージ遠隔制御方法は、移動通信端末を用いて遠隔から受信者のキャラクタイメージを制御する方法において、キャラクタイメージの各関節部位に端末キーボタンの番号を対応させて各関節の動きを遠隔から制御することを特徴とし、それにより上記目的が達成される。
【００１７】
前記キャラクタイメージの関節を遠隔からのキーボタンの制御のとき、発信者と受信者のそれぞれの端末に同じキャラクタイメージが共に表示されるようにしたことを特徴としてもよい。
【００１８】
前記端末のキーボタンは、所定のボタンにキャラクタイメージの関節が対応し、残りのボタンは関節の上下動作ボタンと、一つの動作の身体関節の動作が終了することを知らせるボタンとでなることを特徴としてもよい。
【００１９】
本発明による移動通信端末を用いたキャラクタイメージ遠隔制御方法は、移動通信端末を用いて遠隔から受信者に受信されるキャラクタイメージを制御する方法において、端末が動作中に発信者が受信者に受信されるキャラクタイメージを遠隔から制御しようとするとき、受信者の電話番号と、キャラクタイメージの識別のための特殊番号とを入力して転送すれば、受信者側の端末はそれを受信するキャラクタイメージ番号受信段階と、前記キャラクタイメージの識別のための特殊番号の受信によってキャラクタイメージの動作を表現しようとするときは、発信者からのキャラクタ制御用データ値によって受信者の画面においてキャラクタイメージの動作が制御されるキャラクタ制御段階とを含んでなることを特徴とし、それにより上記目的が達成される。
【００２０】
前記キャラクタを遠隔から制御するとき、発信者と受信者のそれぞれの端末に同じキャラクタイメージが共に表示されるようにしたことを特徴としてもよい。
【００２１】
前記キャラクタイメージの識別のための特殊番号は交換機からサービスされる特定サービス番号であるか、或いは、発信者と受信者との間で約束された特定キャラクタイメージ制御のための識別番号であることを特徴としてもよい。
【００２２】
前記交換機からサービスされる特定サービス番号は少なくとも一桁以上の桁数を有し、発信者と受信者との間に約束された特定キャラクタイメージの制御のための識別番号は少なくとも一桁以上の桁数でなることを特徴としてもよい。
【００２３】
前記キャラクタ制御のためのデータ値はキャラクタイメージの関節に対応する番号と、上下動作番号および終了を知らせる番号とを一つのグループとし、前記グループを連続的に多数結合してキャラクタイメージの動作が連続的に行われるようにすることを特徴としてもよい。
【００２４】
本発明による移動通信端末を用いたキャラクタイメージ遠隔制御装置は、移動通信システムの端末を用いて遠隔から受信者のキャラクタイメージを制御する装置において、前記移動通信システムの発信者が自分の端末の画面にディスプレイされたキャラクタイメージを見ながらキャラクタイメージの動作を制御する発信者側端末と、前記発信者側端末で制御されたキャラクタイメージの動作が無線で遠隔受信され、前記発信者側端末にディスプレイされるものと同じキャラクタイメージの動作が同時にディスプレイされる受信者側端末と、前記発信者側端末と受信者側端末との無線通信を連結する無線ネットワークとを含んでなることを特徴とし、それにより上記目的が達成される。
【発明の効果】
【００２５】
本発明は、同じキャラクタイメージが発信者と受信者の移動通信端末に共に格納されていて、該受信者に受信されるキャラクタイメージを発信者が遠隔地で自分の画面を見ながら制御することにより、発信者の意思表現としての発信者の感情および伝達メッセージを、音声およびショートメッセージにとどまらず、視覚的なキャラクタイメージを用いて伝えることができる。したがって、この頃の新世代の若者の自己表現の欲求を思い存分充足させるという效果を提供する。
【発明を実施するための最良の形態】
【００２６】
以下、添付図を参照して本発明の好ましい実施例を詳細に説明する。
本発明では、キャラクタイメージとして人の形象を実施例として説明するが、その他各種のロボットや、動物／植物の関節、動物の顔の表情など、端末のキーボタンを用いたキャラクタイメージの制御は全て本発明の範疇に含まれる。
【００２７】
図１は、本発明が適用されるキャラクタイメージの遠隔制御のための移動通信システムの動作状態を示すブロック構成図を示す図である。
【００２８】
以下、図１を参照して説明すると、移動通信システムは、一般の有線電話１７０のインターネットまたは専用インターネット網１６０を介してマルチメディアコンテンツサーバ１４０およびコンピュータ１８０に接続される。
【００２９】
前記コンピュータ１８０は端末１１０に転送するコードファイルを有しており、それぞれのコードファイルを一定の大きさに分割して圧縮する。
【００３０】
前記コンピュータ１８０に直接接続するために、公衆電話交換網（ＰＳＴＮ）／総合情報通信網（ＩＳＤＮ）１６０に接続されるインターネット網を介して移動通信交換局１５０が接続され、前記移動通信交換局１５０に基地局制御機１３０が接続され、前記基地局制御機１３０に基地局１１１が接続され、前記基地局１１１に無線リンクを介して移動通信端末１１０が接続される。
【００３１】
前記基地局１１１は、移動通信端末１１０と移動通信交換局１５０との間で無線リンクと有線リンクに適合するように信号フォーマットを変える役割を果たし、前記移動通信端末１１０の送受信電界強度を測定して移動通信交換局１５０に提供する。
【００３２】
前記基地局制御機１３０は、基地局１１１の各要素別の機能とセル運用者との間の接続手段となり、多数の基地局運用の管理、基地局のハードウェアおよびソフトウェアのサービス状態の管理、コール・トラフィック（Ｃａｌｌ  Ｔｒａｆｆｉｃ）に対する資源の割り当ておよび構成、基地局運用に関する情報の樹立、基地局の運用・監視および故障に係わる下部装置の監視などの機能を行う。
【００３３】
前記移動通信交換局１５０は、基地局制御機１３０および移動通信端末１１０に回線交換サービスを提供し、なお付加的な機能としてチャンネル転換機能を有する。
【００３４】
前記マルチメディアコンテンツサーバ１４０は、マルチメディアコンテンツをデータベースに格納しており、使用者端末１１０が要求するキャラクタイメージコンテンツおよび静止映像と動映像とを含む各種のマルチメディアコンテンツを使用者端末１１０にダウンロードで提供する。
【００３５】
このような移動通信システムは、任意の端末使用者が移動通信端末１１０を利用して電話をかけたり受信するとき、ある一つの基地局１１１に接続される。
【００３６】
図２は、本発明が適用されるキャラクタイメージ遠隔制御通信サービスの可能な端末の内部動作を示すブロック構成図である。
【００３７】
図２を参照すると、制御部２００は本発明のキャラクタイメージ遠隔制御と音声通話および各種のマルチメディア機能を行うための移動通信端末１１０の全般的な動作を制御する。
【００３８】
また、キャラクタイメージ遠隔制御を具現するために、使用者からのキャラクタイメージ遠隔制御モードの要求がある場合、コーデック部２０２を制御して外部網から無線受信されるキャラクタ遠隔制御イメージ、または静止画像、画像通信データを圧縮解除した後デコード（ｄｅｃｏｄｅ）し、画像入力部２０４から入力される静止画像または画像通信データはエンコード（ｅｎｃｏｄｅ）した後、ＪＰＥＧ／ＭＰＥＧの所定のフォーマットに圧縮し、外部網または外部コンピュータ２０６に送受信するように制御する。
【００３９】
メモリー２０８は、端末の全般的な動作およびキャラクタイメージを遠隔から制御する所定のプログラムを格納しており、制御部２００によって端末の全般的な動作およびキャラクタイメージを遠隔から制御する動作が行われるときに入出力されるデータを所定の設定された領域に格納する。
【００４０】
ＲＦ（Ｒａｄｉｏ  Ｆｒｅｑｕｅｎｃｙ）部２１０は、高周波処理部と中間周波数処理部および基底帯域処理部の包括的な構成部を意味し、アンテナＡＮＴを通じて外部網から無線受信されるキャラクタイメージと音声および各種のマルチメディアデータのみならず、キャラクタ遠隔制御イメージおよび静止画像または画像通信データを、無線通信帯域周波数で１次的に処理し、それを再び低い周波数帯域にする中間周波数処理を行い、それを再び制御部２００で処理可能な周波数帯域の信号で処理する。
【００４１】
また、端末に具備される画像入力部２０４から入力され、コーデック部２０２でエンコード、圧縮処理されたキャラクタ遠隔制御イメージおよび各種静止画像または画像通信データを無線通信帯域周波数信号に変調して外部網へ無線送信する。
【００４２】
オーディオ部２１２は、制御部２００から制御を受けてマイク（ＭＩＣ）を介して入力される音声信号を無線信号に変調し、ＲＦ部２１０を介して受信される無線信号を復調してスピーカ（ＳＰＫ）へ音声信号として送出する。
【００４３】
また、画像通話モードのときにＲＦ部２１０から受信される前記キャラクタ遠隔制御イメージおよび静止画像または画像通信データに含まれた無線オーディオ信号を復調し、スピーカー（ＳＰＫ）を介して再生出力する。
【００４４】
キー入力部２１４は、多数の数字キーおよび端末のキャラクタイメージ遠隔制御サービスのためのモードを設定するように具現されたキャラクタイメージモードキーを含む多数の機能キーを備えており、使用者が所定のキーを押すと、該当キーのデータを発生して制御部２００へ出力する。
【００４５】
第１の表示部２１６は、端末１１０の外部に具備されたサブ（Ｓｕｂ）ＬＣＤ（Ｌｉｑｕｉｄ  Ｃｒｙｓｔａｌ  Ｄｉｓｐｌａｙ）であって、一般通話モードのときに端末の各種の情報を表示するＬＣＤを含み、キー入力部２１４から発生するキーデータおよび制御部２００の各種の情報信号が入力されてディスプレイする。
【００４６】
第２の表示部２１８は、メイン（Ｍａｉｎ）ＬＣＤであって、キャラクタイメージ遠隔制御モードのときに外部網から受信されるキャラクタ遠隔制御イメージおよび静止画像または画像通信データ、そして近距離有無線送受信部２２０を介して外部コンピュータ２０６から入力されるキャラクタ遠隔制御イメージおよび静止画像または画像通信データをカラーでディスプレイする。
【００４７】
本発明において、キャラクタ遠隔制御イメージは、前記第１の表示部２１６にディスプレイさせることもでき、または、第２の表示部２１８にディスプレイさせることもでき、または、同時に、第１の表示部２１６および第２の表示部２１８にディスプレイさせることもできる。
【００４８】
画像入力部２０４は、両方向画像通信サービスのためのものであり、画像通信モードのときに使用者の姿や発信端末使用者側の各種静止画像の画像通信の様子を画像通信データとして入力してコーデック部２０２に印加させる。
【００４９】
コーデック部２０２は、制御部２００の制御によって画像入力部２０４から提供される撮影画像信号をＪＰＥＧまたはＭＰＥＧフォーマットに変換して所定の割合に圧縮し、外部網から無線受信されるキャラクタイメージ遠隔制御キャラクタおよび静止画像または画像通信データの圧縮画像を圧縮解除してデコードし、第２の表示部２１８に印加させる。
【００５０】
前記外部網から無線受信されるキャラクタ遠隔制御イメージおよび静止画像または画像通信データとしては、相手の端末から送信されるキャラクタ遠隔制御イメージおよび静止画像または画像通信データであっても良く、または移動通信交換局１５０に接続された各Ｗｅｂサーバ（Ｗｅｂ  ｓｅｒｖｅｒ）または多数のマルチメディアコンテンツサーバ１４０から提供される各種のキャラクタイメージおよびＶＯＤ（Ｖｉｄｅｏ  Ｏｎ  Ｄｅｍａｎｄ）データであっても良い。
【００５１】
近距離有無線送受信部２２０は、端末内の各種のキャラクタ遠隔制御イメージおよび静止画像または画像通信データを外部コンピュータ２０６に無線で送るか、或いは外部コンピュータ２０６のキャラクタ遠隔制御イメージおよび静止画像または画像通信データを無線で受信して端末内のコーデック部２０２へ転送する。
【００５２】
本発明の端末は、かかる近距離有無線送受信部２２０を介して外部コンピュータ２０６と接続され、キャラクタイメージ遠隔制御キャラクタおよび画像データを送／受信する。
【００５３】
近距離有無線送受信部２２０は、赤外線無線通信（ＩｒＤＡ）、ブルートゥース（Ｂｌｕｅｔｏｏｔｈ）、無線ＬＡＮ（Ｗｉｒｅｌｅｓｓ  Ｌａｎ）、ＲＳ−２３２、ＵＳＢなどの近距離有無線通信方式、その他、様々な近距離有無線通信の全てを含む。
【００５４】
図３は、本発明の実施例１に係る移動通信端末に表現されるはずのキャラクタイメージの模型を概略的に示す図である。
【００５５】
前記図３に示すキャラクタイメージの人体キャラクタイメージ３００の模型は、端末１１０発信者および受信者の移動通信端末１１０に共に格納されており、受信者側端末にディスプレイされるキャラクタイメージを発信者側端末が遠隔地で制御することにより、  発信者の意思表現としての発信者の感情および伝達メッセージを、音声およびショートメッセージにとどまらず、視覚的なキャラクタイメージを通じて受信者に伝達する。
【００５６】
ここでは、人体キャラクタイメージ３００の様々な関節の中から両腕の関節と両脚の関節に端末キーパッド上の数字１〜８をそれぞれ対応させて意思表現を表す。
【００５７】
前記人体キャラクタイメージ３００の右腕の関節にはキーパッド上のキーボタン１、２をそれぞれ対応させ、人体キャラクタイメージ３００の左腕の関節にはキーパッド上のキーボタン３、４をそれぞれ対応させる。
【００５８】
前記人体キャラクタイメージ３００の右脚の関節にはキーパッド上のキーボタン５、６をそれぞれ対応させ、人体キャラクタイメージ３００の左脚の関節にはキーパッド上のキーボタン７、８をそれぞれ対応させる。
【００５９】
発信者が、受信者の端末上に格納されているキャラクタイメージを遠隔から制御しようとするとき、前記人体キャラクタイメージ３００の関節に対応する端末キー入力部２１４のキーパッド上のキーボタンを押すと、それに該当する人体キャラクタイメージ３００の関節が動作するようになる。
【００６０】
図４は、本発明の実施例において、発信者のキーボタン入力によって受信者の移動通信端末に表現される基本的な人体キャラクタイメージ３００のイメージが連続的に再生される再生画面の一つを例示した図である。
【００６１】
前記図４において、発信者による受信者のキャラクタイメージを遠隔から制御しようとするとき、キャラクタイメージの動作中に発信者が自分の端末にある人体キャラクタイメージ３００を見ながら発信者のキーボタン番号２を押すと、前記基本人体キャラクタイメージ３００の右腕の関節が上方へ上げられ３０１、前記発信者のキーボタン番号２および８を押すと、前記基本人体キャラクタイメージ３００の右腕と左脚の関節がそれぞれ上方へ上げられ３０２、前記発信者のキーボタン番号２、４および８を押すと、前記基本人体キャラクタイメージ３００の右腕、左腕および左脚の関節がそれぞれ上方へ上げられる３０３。
【００６２】
上記過程において、発信者が自分の端末画面を見ながらキャラクタイメージを操作すれば、受信者側の端末画面でも同じキャラクタイメージが同時に制御される。
【００６３】
このような発信者のキーボタン操作により、前記人体の形態は、発信者の意図するところを受信者のキャラクタイメージで多様に表現することができる。
【００６４】
図５は、本発明の実施例２による移動通信端末に表現されるはずのキャラクタイメージの顔の模型を概略的に示す図である。
【００６５】
前記図５に示すキャラクタイメージの顔キャラクタイメージ５００の模型は、端末１１０発信者および受信者の移動通信端末１１０に同時に格納されており、受信者側端末にディスプレイされるキャラクタイメージを発信者側端末が遠隔地で制御することにより、  発信者の意思表現としての発信者の感情および伝達メッセージを、音声およびショートメッセージにとどまらず、視覚的なキャラクタイメージを通じて  受信者に伝達する。
【００６６】
ここでは、顔キャラクタイメージ５００の様々な表情の中から両目、鼻および口の関節に、端末キーパッド上の数字１〜８をそれぞれ対応させて意思表現を表す。
【００６７】
前記顔キャラクタイメージ５００の右目の関節には、キーパッド上のキーボタン番号１、２をそれぞれ対応させ、顔キャラクタイメージ５００の左目の関節にはキーパッド上のキーボタン番号３、４をそれぞれ対応させる。
【００６８】
前記人体キャラクタイメージ５００の鼻にはキーパッド上のキーボタン番号５、６を対応させ、顔キャラクタイメージ５００の口の関節にはキーパッド上のキーボタン番号７、８をそれぞれ対応させる。
【００６９】
前記キーボタン５、６に対応する人体キャラクタイメージ５００の鼻は、キーボタン番号５により小さくなったり、キーボタン番号６により大きくなる。
【００７０】
発信者が、受信者の端末上に格納されているキャラクタイメージを遠隔から制御しようとするとき、前記顔キャラクタイメージ５００の関節に対応する端末キー入力部２１４のキーパッド上のキーボタンを押せば、それに該当する顔キャラクタイメージ５００の関節が動作するようになる。
【００７１】
図６は、本発明の実施例において、発信者のキーボタン入力によって受信者の移動通信端末に表現される基本的な顔キャラクタイメージ５００のキャラクタイメージが連続的に再生される再生画面の一つを例示した図である。
【００７２】
前記図６において、発信者による受信者のキャラクタイメージを遠隔から制御しようとするとき、キャラクタイメージの動作中に発信者が自分の端末にある顔キャラクタイメージ５００を見ながら発信者のキーボタン番号１、２を押すと、前記基本顔キャラクタイメージ５００の右目の関節がそれぞれ上方へ上げられ５０１、前記発信者のキーボタン番号３、４を押すと、前記基本顔キャラクタイメージ５００の左目の関節がそれぞれ上方へ上げられ５０２、前記発信者のキーボタン番号７、８を押すと、前記基本顔キャラクタイメージ５００の口の関節がそれぞれ上方へ上げられる５０３、５０４。
【００７３】
上記過程において、発信者が自分の端末画面を見ながらキャラクタイメージの表情を操作すれば、同時に受信者側の端末画面でも同じキャラクタイメージの表情が制御される。
【００７４】
このような発信者のキーボタン操作により、前記人体の形態は、発信者の意図するところを受信者のキャラクタイメージで多様に表現することができる。
【００７５】
上述したもの以外にも、本発明は、前記図３の実施例１と図５の実施例２とを組み合わせると、数え切れないほどのキャラクタイメージの表現演出が可能である。
【００７６】
この際、前記図３の実施例１および図５の実施例２を互いに区別するためのセレクタを特定キーに設定する。
【００７７】
したがって、前記特定のセレクタ・キーの入力によって図３の実施例１が動作されたり、または図５の実施例２が動作されたり、或いは図３の実施例１と図５の実施例２とが同時に動作される。
【００７８】
図７は、本発明の実施例であるキャラクタイメージ遠隔制御方法による全般的な動作の流れを示すフローチャートである。
【００７９】
前記図７のように、発信者による受信者のキャラクタイメージを制御するための動作が開始されると７０１、発信者は受信者のキャラクタイメージを制御するための受信者電話番号と特殊番号とを押した７０２後、通話が連結されると、受信者は前記発信者からの電話番号と特殊番号とを認識し、その時から遠隔からのキャラクタイメージの制御が可能になる。
【００８０】
ここで、前記特殊番号はキャラクタイメージを制御するための識別番号であって、一桁にしても良く、或いはそれ以上の二桁ないし多数桁にしても良い。
【００８１】
また、前記発信者による受信者のキャラクタイメージを制御するための動作が開始されると７０１、発信者は受信者のキャラクタイメージを制御するための異なる特殊番号と受信者電話番号とを押した７０２後、通話が連結されると、その時から発信者と受信者との間で遠隔からのキャラクタイメージの制御が可能になる。
【００８２】
ここで、前記異なる特殊番号は、キャラクタイメージを制御するための異なるサービス識別番号として通常３桁の数字である。
【００８３】
例えば、韓国通信（株）からサービスされている番号７００に類似した概念として、番号３００のサービス番号、または番号５００のサービス番号にもなり得る。
【００８４】
したがって、このときは、前記異なる特殊番号、例えば、番号５００のサービス番号を押した後、受信者の電話番号を押す。
【００８５】
そうすれば、前記番号５００のサービス番号はキャラクタイメージ制御のための特殊識別番号の役割をすることになり、交換機では前記特殊サービス番号の番号５００を入力するとき、音声チャンネルではない、データチャンネルを割り当てて受信者にコール（Ｃａｌｌ）設定を要請する。
【００８６】
このように、前記過程７０２を経た後、受信者側の端末はキャラクタイメージを識別するための特殊番号の入力有無を判断する７０３。
【００８７】
前記特殊番号入力有無判断７０３の結果、特殊番号が入力されていなかったら、それはキャラクタイメージ制御ではない一般通話７０４を意味するので、所定の一般通話を終えてから動作を終了する７０８。
【００８８】
前記特殊番号入力有無判断７０３の結果、特殊番号が入力されていたら、これはキャラクタイメージを遠隔から制御するための動作を意味するので、キャラクタイメージ遠隔制御の可否を判断する７０５。
【００８９】
ここで、前記キャラクタイメージを遠隔から制御するための動作が開始されると、受信端末画面に前記図３および図５に示すような初期キャラクタイメージが登場する。
【００９０】
前記受信端末は、キャラクタイメージ遠隔制御の可否を判断した７０５結果、キャラクタイメージを表現したくない場合は動作を終了し７０８、キャラクタイメージ遠隔制御の可否を判断した７０５結果、キャラクタイメージを表現したい場合は発信者からキャラクタイメージ制御のためのデータ値を受信し７０６、受信されたデータ値によって受信者の端末画面に所定のキャラクタイメージを表現し７０７、表現が終わると動作を終了する７０８。
【００９１】
前記受信端末がキャラクタイメージ遠隔制御の可否を判断した７０５結果、キャラクタイメージを表現したくない場合は動作を終了する７０８。
【００９２】
前記発信者からのキャラクタイメージ制御用データ値は、前記図４および図６で説明したような発信者のキーボタン入力によるキャラクタイメージの動作を表現するためのデータ値である。
【００９３】
例えば、発信者が動こうとする身体部位番号２を先に押して上下ボタン（例えば、番号９）を押すと、右腕の関節が上方に上げられ、次いで、一つの動作の終了を知らせるボタン（例えば、番号０）を押すと、該信号が受信者に伝達されて発信者の変化されたキャラクタイメージと同じキャラクタイメージが受信者側の端末画面に表現される。
【００９４】
したがって、前記図４および図６に示すような動作３０１〜３０３、および５０１〜５０３を連続的に表現するためには、キーボタンの数字を“２９０、８９０、４９０”のような手順で入力すれば良い。
【００９５】
そうすると、初期画面１００が、番号２、９、０が受信されることによって２番目の画面３０１、５０１に切り替えられ、次いで、番号８、９、０が受信されることによって３番目の画面３０２、５０２に切り替えられ、次いで、番号４、９、０が受信されることによって４番目の画面３０３、５０３にそれぞれ切り替えられる。
【００９６】
キャラクタイメージの各関節部位に端末のキーボタンの番号を対応させて各関節の動きを遠隔から制御するキャラクタ関節キーボタン制御手段を備え、発信者が受信者に受信されるキャラクタイメージを遠隔から制御する。したがって、本発明は受信者に受信されるキャラクタイメージを発信者が遠隔地から制御することにより、発信者の感情および伝達メッセージを視覚的なキャラクタイメージを用いて伝達することで、差別化されたメッセージの伝達を可能にする。
【００９７】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００９８】
【図１】本発明が適用されるキャラクタイメージ遠隔制御のための移動通信システムの動作状態を示すブロック構成図である。
【図２】本発明が適用されるキャラクタイメージ遠隔制御通信サービスの可能な端末の内部動作を示すブロック構成図である。
【図３】本発明の実施例１に係る端末に表現されるはずのキャラクタイメージキャラクタの図である。
【図４】本発明において、発信者のキーボタン入力によって端末に表現されるはずのキャラクタイメージを示す図である。
【図５】本発明の実施例２によって移動通信端末に表現されるはずのキャラクタイメージの顔の模型を概略的に示す図である。
【図６】本発明において、発信者のキーボタン入力によって端末に表現されるはずのキャラクタイメージの顔の再生キャラクタを示す図である。
【図７】本発明の実施例であるキャラクタイメージ遠隔制御方法によって端末に表現されるはずのキャラクタイメージを制御するための動作の流れを示すフローチャートである。
【符号の説明】
【００９９】
１１０  移動通信端末
１１１  基地局
１３０  基地局制御機
１４０  マルチメディアコンテンツサーバ
１５０  移動通信交換局
１６０  公衆電話交換網（ＰＳＴＮ）／総合情報通信網（ＩＳＤＮ）
１８０  コンピュータ
２００  制御部
２０２  コーデック部
３００  人体キャラクタイメージ
５００  基本顔キャラクタイメージ
【図１】
2004312677.tif 000003
【図２】
2004312677.tif 000004
【図３】
2004312677.tif 000005
【図４】
2004312677.tif 000006
【図５】
2004312677.tif 000007
【図６】
2004312677.tif 000008
【図７】
2004312677.tif 000009